(57)【特許請求の範囲】
【請求項１】
表面にジオラマを形成するレイアウトパネルを運搬するための収納ケースであって、
前記収納ケースの底面を構成する底板と、
２以上のレイアウトパネル保持体とを有し、
前記レイアウトパネル保持体は、前記底板に対し垂直かつ互いに平行に立設される２枚の仕切り板であって、これらの対向する２枚の仕切り板の側縁部近傍において前記レイアウトパネルの表面が前記収納ケースの内側を向くように前記レイアウトパネルの対向する２側面を保持する２枚の仕切り板からなり、
互いに隣接する一組の仕切り板の間にはこれらの仕切り板同士の間隔と略同じ幅をもち、かつ、これらの仕切り板と略同じ高さをもつ板体もしくは柱体からなる中央補強体が、これらの仕切り板及び前記底板に固定され、
前記中央補強体の上面には当該一組の仕切り板以外の仕切り板を固定する棒体もしくは板体からなる連結体が設けられる
レイアウトパネル収納ケース。
【請求項２】
前記２以上のレイアウトパネル保持体同士は互いの前記仕切り板同士が全て平行になるように配列され、最も外側に位置する２枚の仕切り板が、収納ケースの側面を構成するものである請求項１に記載のレイアウトパネル収納ケース。
【請求項３】
前記レイアウトパネルの対向する２側面には１以上の突起が設けられ、前記仕切り板の当該突起に対応する位置における前記側縁部には水平方向に延び端部で垂直下方に折れ曲がる前記突起に係合する切り欠きが形成される請求項１又は２に記載のレイアウトパネル収納ケース。
【請求項４】
前記切り欠きは、異なる複数のレイアウトパネルに適合できるように前記仕切り板の前記側縁部に複数配列される請求項３に記載のレイアウトパネル収納ケース。
【請求項５】
前記底板の底面には、底板の縁部を横切るように底板に平行に出没する棒体からなる転倒防止バーが固定される請求項１から４のいずれか１項に記載のレイアウトパネル収納ケース。
【発明の詳細な説明】
【技術分野】
【０００１】
本発明は、鉄道模型の展示などをするためのジオラマを形成するレイアウトパネルを収納し運搬するための収納ケースに関する。
【背景技術】
【０００２】
鉄道模型の愛好家は多くの場合レイアウトパネルの表面にレールなどを含めたジオラマ
を作り、そこに鉄道模型を走らせて楽しむ。このようなジオラマを形成したレイアウトパ
ネルは大きな面積を占有するが、直接床に置いたり、テープルの上において展示するのが
一般的であり、収納する際には水平状態を保ったまま収納される。しかし、レイアウトパネルを水平に収納すると大変場所をとり生活空間を圧迫してしまい、また、同じ趣味を持つ者同士がレイアウトパネルを持ち寄って楽しむためには交通機関により運搬する必要があるが、大きなレイアウトパネルを運搬することは大変困難である。このような問題に鑑みて、本願発明者は下記特許文献１において、レイアウトパネルの表面を内側に向けて立てて収納するレイアウトパネル収納ケースを提案している。
【特許文献１】特許３９０２５８０号公報
【発明の開示】
【発明が解決しようとする課題】
【０００３】
ところで、鉄道模型では、レイアウトのために線路を敷くパネルは多く必要になるが、上記レイアウトパネル収納ケースではパネルを縦置きで収納する場合ケースに組み込まれたパネルの数は多くて２面までであった。従って、よりをレイアウトを延ばすためには多くのレイアウトパネル収納ケースが必要になってしまう。
以上のような問題点に鑑み、本発明は、３枚以上のレイアウトパネルを収納できるレイアウトパネル収納ケースを提供することを課題とする。
【課題を解決するための手段】
【０００４】
上記課題を解決するために、本発明は次のような構成を有する。
請求項１に記載の発明は、表面にジオラマを形成するレイアウトパネルを運搬するための収納ケースであって、前記収納ケースの底面を構成する底板と、２以上のレイアウトパネル保持体とを有し、前記レイアウトパネル保持体は、底板に対し垂直かつ互いに平行に立設される２枚の仕切り板からなり、これらの対向する２枚の仕切り板の側縁部近傍において前記レイアウトパネルの表面が前記収納ケースの内側を向くように前記レイアウトパネルの対向する２側面を保持するものである。そして、互いに隣接する一組の前記仕切り板の間にはこれらの仕切り板の間と略同じ幅をもち、かつ、仕切り板と略同じ高さをもつ板体もしくは柱体からなる中央補強体が、これらの仕切り板及び前記底板に固定され、前記中央補強体の上面には当該一組の仕切り板以外の仕切り板を固定する棒体もしくは板体からなる連結体が設けられる。
請求項２に記載の発明は、前記レイアウトパネル収納ケースにおいて、前記２以上のレイアウトパネル保持体は構成する前記仕切り板同士が全て平行になるように配列され、最も外側に位置する２枚の仕切り板が、収納ケースの側面を構成するものである。
請求項３に記載の発明は、前記レイアウトパネル収納ケースにおいて、前記レイアウトパネルの対向する２側面には１以上の突起が設けられ、前記仕切り板の当該突起に対応する位置における前記側縁部には水平方向に延び端部で垂直下方に折れ曲がる前記突起が係合する切り欠き部が形成されるものである。
請求項４に記載の発明は、請求項３に記載のレイアウトパネル収納ケースにおいて、前記切り欠き部は、異なる複数のレイアウトパネルに適合できるように前記仕切り板の前記側縁部に複数配列されるものである。
請求項５に記載の発明は、前記レイアウトパネル収納ケースにおいて、前記底板の底面には、底板の縁部を横切るように底板に平行に出没する棒体からなる転倒防止バーが固定されるものである。
【発明の効果】
【０００５】
請求項１に記載の発明は、縁部近傍にレイアウトパネルを固定するレイアウトパネル保持体が２以上設けられるので、４枚以上のレイアウトパネルを保持することが可能となる。  また、中央補強体に直接もしくは連結体を解して間接的に仕切り板が固定されるので、底板に対して転倒を防止する部材を全ての仕切り板に設ける必要をなくし、製造コストの低減および構造の簡易化を図ることができる。
請求項２に記載の発明は、両端の仕切り板がレイアウトパネル収納ケースの側面を形成するので、余分な構成がなくなり構造を簡単にし、製造コストを低減させることができる。
請求項３に記載の発明は、レイアウトパネルの側面に設けられた突起を切り欠き部に嵌め入れることでレイアウトパネルをレイアウトパネル保持体に固定できるので、収納、取出しを簡易かつ迅速に行うことができる。
請求項４に記載の発明は、切り欠き部を異なるレイアウトパネル用に複数設けることで、複数種類のレイアウトパネルを収納することができる。
請求項５に記載の発明は、転倒防止バーを設けることで運搬時には転倒防止バーを縮めておくことで邪魔にならず、床などにおく場合には転倒防止バーを延ばすことでレイアウトパネル収納ケースを転倒しにくくすることができる。
【発明を実施するための最良の形態】
【０００６】
以下、本発明の実施の形態について、図面を参照しながら説明する。
図１に本実施形態に係るレイアウトパネル収納ケースＸのレイアウトパネルＬを収納した状態における斜視図を示し、図２にレイアウトパネル収納ケースＸのレイアウトパネルＬを取り外した状態を示す斜視図を示し、図３にレイアウトパネル収納ケースＸの分解斜視図を示す。レイアウトパネル収納ケースＸは、底板１０、仕切り板２１、２２、天板３１、中央補強体４０、連結体３２とから構成される。
底板１０は、長方形の板体からなる底板本体１１、底板本体１１の短辺を構成する縁部に立設する細長い板状の保持板１２、底板本体１１の底面に設けられる転倒防止バー１３、底板本体１１の底面に設けられるキャスター１４とから構成される。底板本体１１には、保持板１２に平行に溝１１ａが所定間隔で２筋形成されている。また、底板本体１１の中央には貫通孔が形成されている。この貫通孔には中央補強体４０を固定するための、つまみネジ１５が通るようになっている。図４（ａ）に底板１０の底面図を示す。転倒防止バー１３は、四角柱状の棒体で、長手方向に沿って長穴１３ｂが形成されている。そして、先端側に長穴１３ｂを通ることができないフランジが設けられた長孔１３ｂの幅よりも狭い棒体からなる規制部材１３ａによって、転倒防止バー１３は底板本体１１に固定されている。また、転倒防止バーの回動を防止するための補助棒１３ｃが転倒防止バー１３に沿って設けられている。このような構成によって、図４（ｂ）に示すように転倒防止バー１３は底板本体１１に端縁から底板本体１１の平行な方向に伸びることができ、伸縮自在に固定されることとなる。
【０００７】
中央補強体４０は、やや扁平な四角柱体により構成される。具体的には、前面及び背面を構成する板体４１、４１、板体４１の間の下端、中央、上端に狭持固定される、四角柱状のブロック体４２、４３、４４とにより四角柱状に形成されている。下端のブロック体４２の底面中央には図示しない鬼目ナットが埋められており、これによって、前述したつまみネジ１５を介して底板本体１１の中央に固定されるようになっている。中央のブロック体４３の両端にも鬼目ナットが埋められており、これは仕切り板２２を固定する際に使用される。また、上部のブロック体４４の上面にも鬼目ナットが埋められている。この上部のブロック体の鬼目ナットには中央補強体４０と同じ幅を持ち仕切り板２２の上縁と同じ長さを持つ中央に孔の開いた板体４５と後述する連結体３２がつまみネジ３４により固定される。板体４５の上面には前後に対称に鬼目ナットが埋められ、これにつまみネジ４５ａ、４５ａが係合している。中央補強体４０に板体４５を重ねた高さは取り付けるレイアウトパネルLの長辺の長さと一致する。また、中央補強体４０の左右方向の幅は底板本体１１に形成される溝１１ａに接するように設定される。
【０００８】
仕切り板２１、２１は長方形の板体で外側の面がレイアウトパネル収納ケースＸの側面を形成する。図５にレイアウトパネルＸの側面図を示す。仕切り板２１の側縁には水平に延び、端部で垂直下方に降り曲がる鉤状の切り欠き２５が形成されている。切り欠き２５の位置は、レイアウトパネルＬの後述するつまみネジＬ1の位置に対応するように設定される。仕切り板２１の外側面の下縁近傍には鬼目ナットが２つ埋められている。仕切り板２１の下縁は前述した底板１０の保持板１２の上縁に載り、仕切り板２１の下縁近傍の鬼目ナットと、保持板１２の鬼目ナットの位置に合致する４つの穴が設けられた連結板２１ａによりボルトを介して固定される。これによって仕切り板２１は底板１０に固定されることとなる。仕切り板２１の上縁近傍には２つの貫通孔が設けられており、上方に把手が形成された把手板２１ｂとともに後述する連結体３２の端部に設けられる固定干３２ａに埋められた鬼目ナットにボルトによって固定される。仕切り板２１の高さは、保持板１２に乗った状態でレイアウトパネルＬの長辺の長さとほぼ一致する。
【０００９】
仕切り板２２、２２は長方形状の板体であり、両側縁にやはり仕切り板２１と同じきり欠き２５が同じ高さに形成されている。仕切り板２２の中央位置には貫通孔が設けられ、仕切り板２２は下端が底板本体１１の溝１１ａに嵌合すると、貫通孔の位置が中央補強体４０の中央のブロック体４３の鬼目ナットの位置に一致するようになっている。仕切り板２２はつまみネジ２２ａを介してこの貫通孔から中央補強体４０に固定される。仕切り板２２の高さは溝１１ａに嵌合した状態で底板上面からの高さがレイアウトパネルＬの長辺にほぼ一致するように設定される。仕切り板２２の嵌合する溝１１ａは仕切り板２１が載る保持板１２と平行であるので、すべての仕切り板２１と２２は平行となる。そして、隣接する仕切り板２１と２２によりレイアウトパネル保持体が形成される。
【００１０】
連結体３２は、レイアウトパネル収納ケースＸの左右方向の長さとほぼ等しい長さを有する細長い長方形状の板体であり、両端下面に、両仕切り板２１の内側面に接する断面正方形状の棒体からなる固定干３２ａが固定される。連結体３２の中央に貫通孔が設けられており、前述したように中央補強体４０の上部のブロック体４４の鬼目ナットに板体４５を挟むようにしてつまみネジ３４により固定される。固定干３２の外側には仕切り板２１、２１の上縁近傍に設けられる２つの貫通孔に合致する位置に鬼目ナットが埋められており、ここに把手板２１ｂとともに仕切り板２１がボルトにより固定される。
【００１１】
天板３１は長方形状の板体で中央内側に真っ直ぐな切り欠き３１ａが形成されている。天板３１の左右の長さは連結体３２の左右の長さと同じであり、天板３１の前後の幅は２枚の天板３１を連結体３２と並べた幅が仕切り板２１、２２の幅と等しくなるように設定される。天板３１は、切り欠き３１ａを中央補強体４０の上面に固定される板体４５に固定されるつまみネジ４５ａの軸に差し入れ、つまみネジ４５ａを締めることで板体４５を介して中央補強体４０に固定される。
【００１２】
図６にレイアウトパネルＬの分解斜視図を示す。レイアウトパネルＬは扁平な直方体状の箱体であり、ロの字状の枠体Ｌ２の開口を塞ぐように板体Ｌ３、Ｌ４がネジ止めされて形成されている。一方の板体Ｌ３の表面がジオラマを形成する面となり、この面にジオラマ模型を配置する。裏面の板体Ｌ４には円筒状の４つの脚Ｌ４１が設けられる。そして、枠体の長辺を形成する両側面には、それぞれ２つの鬼目ナットが埋め込まれ、この鬼目ナットのそれぞれに、突起となるつまみネジＬ１がそれぞれ係合している。このつまみネジＬ１が、図１や図５に示すように、仕切り板２１、２２の切り欠き２５に係合することで、レイアウトパネルＬはレイアウトパネル収納ケースＸに収納されることとなる。
【００１３】
そしてレイアウトパネルＬのつまみネジＬ１により、図７に示すような脚Ｓを用いてレイアウトパネルＬの表面を高く保持することができる。脚Ｓは長方形状の板体で、上端及び下端につまみネジＬ１が係合できる直線上の切り欠きＳ１、Ｓ２が２つずつ設けられている。
図８に脚Ｓを用いてレイアウトパネルＬを支持した状態を表す斜視図を示す。図に示すように、脚Ｓは、レイアウトパネルＬ同士を付き合わせて、近接する異なるレイアウトパネルＬのつまみネジＬ１をそれぞれ、切り欠きＳ１に係合させるようにしてレイアウトパネルを固定支持する。端に位置するレイアウトパネルＬのつまみネジＬ１は、脚Ｓの一方の切り欠きＳ１に係合させる。切り欠きＳ１の距離はレイアウトパネルＬを付き合わせたときの、隣接するつまみネジＬ１同士の距離により定められる。なお、上端に形成される切り欠きＳ１、Ｓ１との距離と、下端に形成される切り欠きＳ２、Ｓ２との距離は、異なるように設定されている。これはつまみネジＬ１の位置が異なる２種類のレイアウトパネルに対応できるようにするためであり、切り欠きＳ２は脚Ｓを上下逆さまにすることによって切り欠きＳ１と同じように使用することができる。
【００１４】
次に、以上のような構成を有するレイアウトパネル収納ケースＸの使用方法について説明する。まず、レイアウトパネルＬをレイアウトパネル収納ケースＸに収納する場合は、天板３１をつまみネジ４５ａを緩めて取り外し、図２のような状態にする。次に、レイアウトパネルＬのつまみネジＬ１を少し緩めた状態で、対向する仕切り板２１、２２の切り欠き２５につまみネジＬ１を水平方向に差し入れ、端部まで来たところで下方に移動させて底板本体１１にレイアウトパネルＬが載るようにする。この位置で、レイアウトパネルＬのつまみネジＬ１を締めて固定する。レイアウトパネルＬが固定できる箇所は４箇所あるので、同様の操作により、それぞれの箇所にレイアウトパネルＬを係合させ固定する。その後、天板３１を元の位置に戻し、つまみネジ４５ａを締めて天板３１を固定することで図１に示すような状態となり収納が完了する。この状態において、レイアウトパネルＬはつまみネジＬ１で固定されるだけでなく、天板３１によって上方への移動も規制されることから、切り欠き２５とつまみネジＬ１との係合が解かれることもない。この状態で、レイアウトパネルＬの運搬や収納を行う。
レイアウトパネルＬを取り外す場合は、上記と逆の操作を行えばよく、つまみネジ４５ａを緩めて天板３１を取り外し、レイアウトパネルＬのつまみネジＬ１を緩めてレイアウトパネルＬのつまみネジＬ１を切り欠き２５から取り出せばよい。
このようにレイアウトパネル収納ケースＸは、４枚のレイアウトパネルＬを固定することができる。また、図３に示すようにレイアウトパネル収納ケースＸは分解することができるので、使用しないときは分解して収納することができる。
なお、ここでは一種類のレイアウトパネルＬのみを収納できるレイアウトパネル収納ケースを示したが、切り欠き２５の数を増やすことで複数種類のレイアウトパネルＬに対応することができる。図９に切り欠き２５を増やしたレイアウトパネル収納ケースＸ２の天板３１を取り外した斜視図を示す。切り欠き２５を増加させることで、例えば、図９に示すような小型のレイアウトパネルＬａ、Ｌｂ、Ｌｃを収納することができる。これらのレイアウトパネルは重ねても上述したレイアウトパネルＬよりも小さいので、縦に重ねて収納することができる。
また、ここでは４箇所でレイアウトパネルＬを収納するレイアウトパネル収納ケースを示したが、仕切り板を増やすことで、レイアウトパネルＬを収納できる箇所を適宜増やすことができる。図１０に仕切り板を６枚にしたレイアウトパネル収納ケースＸ３を示す。このレイアウトパネル収納ケースＸ３は仕切り板として２１、２１、２２、２２、２３、２３の６枚を有することで合計６箇所でレイアウトパネルを保持することができる。
【図面の簡単な説明】
【００１５】
【図１】実施形態に係るレイアウトパネル収納ケースのレイアウトパネルを収納した状態における斜視図である。
【図２】実施形態に係るレイアウトパネル収納ケースの天板を取り外した状態を示す斜視図である。
【図３】実施形態に係るレイアウトパネル収納ケースの分解斜視図である。
【図４】（ａ）は底板の転倒防止バーを縮めた状態を示す底面図であり、（ｂ）は底板の転倒防止バーを伸ばした状態を示す底面図である。
【図５】実施形態に係るレイアウトパネル収納ケースの側面図である。
【図６】レイアウトパネルの分解斜視図である。
【図７】レイアウトパネルの脚を示す斜視図である。
【図８】レイアウトパネルを脚で支持した状態を示す斜視図である。
【図９】レイアウトパネル収納ケースの第１の変形例を示す斜視図である。
【図１０】レイアウトパネル収納ケースの第２の変形例を示す斜視図である。
【符号の説明】
【００１６】
X、Ｘ２、Ｘ３  レイアウトパネル収納ケース
Ｌ  レイアウトパネル
１０    底板
１３    転倒防止バー
２１、２２  仕切り板
３１    天板
３２    連結体
４０    中央補強体
【図１】
0004853667.tif 000002
【図２】
0004853667.tif 000003
【図３】
0004853667.tif 000004
【図４】
0004853667.tif 000005
【図５】
0004853667.tif 000006
【図６】
0004853667.tif 000007
【図７】
0004853667.tif 000008
【図８】
0004853667.tif 000009
【図９】
0004853667.tif 000010
【図１０】
0004853667.tif 000011